(57)【要約】【課題】化粧料塗布具の取り出しが容易な構造の化粧料用容器を提供する。【解決手段】化粧料用容器１００は、化粧料収容室１１１と、柄１１の少なくとも一方の端部に塗布体１２を有する複数本の化粧料塗布具（例えば、第１化粧料塗布具１０および第２化粧料塗布具２０）と、載置面１１４を有する塗布具収容室１１３を有する。複数本の化粧料塗布具は、それぞれの長手方向が互いに並列となって載置面１１４に載置されることにより、塗布具収容室１１３に収容されている。柄１１は、その長手方向における両端間の部位に、載置面１１４に載置された状態での平面形状が括れ形状となる括れ部１５を有する。塗布具収容室１１３に収容された複数本の化粧料塗布具のうち、互いに隣り合う化粧料塗布具の括れ部１５どうしが向かい合っている。【選択図】図１
2015217169.tif 000002
【特許請求の範囲】
【請求項１】
化粧料を収容する化粧料収容室と、
それぞれが、柄と、前記柄の少なくとも一方の端部に設けられた塗布体と、を有する複数本の化粧料塗布具と、
前記複数本の化粧料塗布具が載置される載置面を有する塗布具収容室と、
を有し、
前記複数本の化粧料塗布具は、それぞれの長手方向が互いに並列となって前記載置面に載置されることにより、前記塗布具収容室から取り出し可能に前記塗布具収容室に収容されており、
前記柄は、その長手方向における両端間の部位に、前記載置面に載置された状態での平面形状が括れ形状となる括れ部を有し、
前記塗布具収容室に収容された前記複数本の化粧料塗布具のうち、互いに隣り合う化粧料塗布具の前記括れ部どうしが向かい合っている化粧料用容器。
【請求項２】
前記柄の長手方向に対して直交する前記柄の断面形状は、前記化粧料塗布具が前記載置面に載置された状態での上下方向に薄い扁平形状をなしている請求項１に記載の化粧料用容器。
【請求項３】
前記柄の長手方向における少なくとも一部分において、前記断面形状の下側及び上側の縁辺が凸曲線状となっている請求項２に記載の化粧料用容器。
【請求項４】
前記複数の化粧料塗布具のうち、少なくとも何れか１つの化粧料塗布具においては、
前記柄の一端部にのみ前記塗布体が設けられ、前記柄の他端部には前記塗布体が設けられておらず、
前記柄は、当該化粧料塗布具が前記載置面に載置された状態で前記載置面に対して面接触する第１柄部と、当該化粧料塗布具が前記載置面に載置された状態で前記載置面に対して線接触する第２柄部と、を含み、
前記第２柄部は、前記柄の長手方向において前記第１柄部よりも前記塗布体から遠くに位置し、
前記第２柄部は、前記柄の長手方向における何れの位置においても前記断面形状の下側及び上側の縁辺が凸曲線状となっている請求項３に記載の化粧料用容器。
【請求項５】
前記複数の化粧料塗布具のうち、少なくとも何れか１つの化粧料塗布具においては、
前記柄の長手方向における何れの位置においても前記断面形状の下側及び上側の縁辺が凸曲線状となっている請求項３又は４に記載の化粧料用容器。
【請求項６】
前記複数の化粧料塗布具のうち、少なくとも何れか１つの化粧料塗布具においては、前記載置面に載置された状態での平面視における前記括れ部の幅寸法が、前記柄の長手方向における前記括れ部の一端側から他端側に向けて、徐々に減少した後、徐々に増大している請求項１乃至５の何れか一項に記載の化粧料用容器。
【請求項７】
前記化粧料収容室に前記化粧料が収容されている請求項１乃至６の何れか一項に記載の化粧料用容器。
【請求項８】
前記化粧料収容室は、第１化粧料と、前記第１化粧料とは異なる色の第２化粧料と、を収容している収容領域を含み、
前記収容領域は、特定方向に長尺に形成され、
前記第１化粧料と前記第２化粧料とは、前記収容領域内において、それぞれ前記収容領域の長手方向に沿って、互いに並列に且つ隣接して延在しており、
前記複数の化粧料塗布具のうち、少なくとも何れか１つの化粧料塗布具の前記塗布体は、当該化粧料塗布具の前記柄の長手方向に対して直交する方向に並んで配置されている第１塗布部と第２塗布部とを有し、前記第１塗布部と前記第２塗布部とは互いに異なる色のものである請求項７に記載の化粧料用容器。
【発明の詳細な説明】
【技術分野】
【０００１】
本発明は、化粧料用容器に関する。
【背景技術】
【０００２】
アイシャドウ等の化粧料を収容するのに用いられる化粧料用容器として、化粧筆等の化粧料塗布具も併せて収容するタイプのものがある。このような化粧料用容器は、携帯性などの観点から極力小型であることが求められる。したがって、このような化粧料用容器においては、化粧料塗布具を収容する塗布具収容室も必要最小限の寸法に形成されているため、塗布具収容室から化粧料塗布具を取り出しにくい場合がある。
【０００３】
このような課題に鑑みてなされた技術としては、例えば特許文献１に記載のものがある。特許文献１の化粧料用容器は、柄（棒状の把持部）を有する化粧筆と、化粧筆を収容する塗布具収容室と、を有しており、化粧筆の柄の胴部外周には、フランジ状に膨出した突起が形成されている（同文献の図１２等参照）。同文献には、塗布具収容室に収容されている化粧筆を柄の軸心に対して直交する方向へ水平移動させて、柄の上記突起を塗布具収容室の周壁に押し付けることによって、突起が化粧筆を上方向に案内するので、化粧筆を塗布具収容室から容易に取り出すことができる旨が記載されている。
【先行技術文献】
【特許文献】
【０００４】
【特許文献１】特開２０１１−２４７７２号公報
【発明の概要】
【発明が解決しようとする課題】
【０００５】
上述のように、化粧料用容器は、極力小型にすることが求められる。そして、当然ながら、塗布具収容室のサイズを小さくするほど、化粧料用容器を小型化することができる。
ところが、特許文献１の技術では、塗布具収容室は、化粧筆の水平移動を許容できる寸法、更に言えば、化粧筆を指で押して水平移動させることができる寸法に形成する必要がある。このため、塗布具収容室、ひいては化粧料用容器を十分に小型に形成することが困難であると考えられる。
【０００６】
本発明は、上記の課題に鑑みなされたものであり、塗布具収容室を十分に小型に形成しても、化粧料塗布具を容易に取り出すことが可能な化粧料用容器に関する。
【課題を解決するための手段】
【０００７】
本発明は、
化粧料を収容する化粧料収容室と、
それぞれが、柄と、前記柄の少なくとも一方の端部に設けられた塗布体と、を有する複数本の化粧料塗布具と、
前記複数本の化粧料塗布具が載置される載置面を有する塗布具収容室と、
を有し、
前記複数本の化粧料塗布具は、それぞれの長手方向が互いに並列となって前記載置面に載置されることにより、前記塗布具収容室から取り出し可能に前記塗布具収容室に収容されており、
前記柄は、その長手方向における両端間の部位に、前記載置面に載置された状態での平面形状が括れ形状となる括れ部を有し、
前記塗布具収容室に収容された前記複数本の化粧料塗布具のうち、互いに隣り合う化粧料塗布具の前記括れ部どうしが向かい合っている化粧料用容器を提供する。
【発明の効果】
【０００８】
本発明によれば、塗布具収容室を十分に小型に形成しても、化粧料塗布具を容易に取り出すことができる。
【図面の簡単な説明】
【０００９】
【図１】第１の実施形態に係る化粧料用容器の斜め上方からの俯瞰図である。
【図２】第１の実施形態に係る化粧料用容器の第１化粧料塗布具（化粧料塗布具）を示す図である。
【図３】第１の実施形態に係る化粧料用容器の第２化粧料塗布具（化粧料塗布具）を示す図である。
【図４】第１の実施形態に係る化粧料用容器の第１化粧料塗布具の取り出し動作を説明するための図である。
【図５】第１の実施形態に係る化粧料用容器の第１化粧料塗布具を手で持った状態を示す図である。
【図６】第１の実施形態に係る化粧料用容器の使用例を示す図である。
【図７】第２の実施形態に係る化粧料用容器が備える複数本の化粧料塗布具を示す平面図である。
【図８】第２の実施形態に係る化粧料用容器の第１化粧料塗布具を示す図である。
【図９】化粧料塗布具の変形例を示す図である。
【図１０】第１化粧料塗布具（化粧料塗布具）における第１柄部、第２柄部および括れ部の位置関係の例を図である。
【発明を実施するための形態】
【００１０】
以下、本発明の実施形態について、図面を用いて説明する。なお、すべての図面において、同様の構成要素には同一の符号を付し、適宜に説明を省略する。
【００１１】
〔第１の実施形態〕
図１は第１の実施形態に係る化粧料用容器１００の斜め上方からの俯瞰図である。
本実施形態に係る化粧料用容器１００は、化粧料を収容する化粧料収容室１１１と、複数本の化粧料塗布具（例えば、第１化粧料塗布具１０および第２化粧料塗布具２０）と、複数本の化粧料塗布具を収容する塗布具収容室１１３と、を有している。
複数本の化粧料塗布具は、それぞれが、柄１１と、柄１１の少なくとも一方の端部に設けられた塗布体１２と、を有している。
塗布具収容室１１３は、複数本の化粧料塗布具が載置される載置面１１４を有している。
複数本の化粧料塗布具は、それぞれの長手方向が互いに並列となって載置面１１４に載置されることにより、塗布具収容室１１３から取り出し可能に塗布具収容室１１３に収容されている。
柄１１は、その長手方向における両端間の部位に、載置面１１４に載置された状態での平面形状が括れ形状となる括れ部１５を有している。
塗布具収容室１１３に収容された複数本の化粧料塗布具のうち、互いに隣り合う化粧料塗布具の括れ部１５どうしが向かい合っている。
以下、詳細に説明する。
【００１２】
化粧料用容器１００は、例えば、第１筐体１１０と、第２筐体１２０と、これら第１筐体１１０と第２筐体１２０とを相互に開閉可能に連結しているヒンジ機構１３０と、からなる容器本体１００ａを備えている。第１筐体１１０および第２筐体１２０は、それぞれ扁平に形成され、互いにほぼ同様の平面形状に形成されている。第１筐体１１０および第２筐体１２０の平面形状は、特に限定されないが、図１等に示す例では、矩形状となっている。
【００１３】
図１に示すように、化粧料用容器１００は、ヒンジ機構１３０が奥側に位置する状態で、第１筐体１１０を手で持ったり或いは台上に載置し、且つ、第２筐体１２０を第１筐体１１０に対して開いた状態で使用することを想定したデザインとなっている。
【００１４】
第２筐体１２０は、閉じた状態において第１筐体１１０と対向する扁平な凹部１２１を有している。第２筐体１２０を開くと、第１筐体１１０と第２筐体１２０とのなす角度が所定の鈍角となって第２筐体１２０が第１筐体１１０によって支えられて、第２筐体１２０の凹部１２１の底面が手前側斜め上方を向くように、ヒンジ機構１３０は構成されている。第２筐体１２０の凹部１２１の底面には鏡１２２が設けられており、使用者は、この鏡１２２に顔を映しながら化粧することができるようになっている。
【００１５】
第１筐体１１０において、閉じた状態で第２筐体１２０と対向する面の奥側（ヒンジ機構１３０側）の部分には、化粧料を収容する化粧料収容室１１１が設けられ、当該面の手前側の部分には、複数本の化粧料塗布具を並列に寝かせた状態で収容する塗布具収容室１１３が設けられている。
【００１６】
化粧料収容室１１１は、第１筐体１１０において、閉じた状態で第２筐体１２０と対向する面に形成された扁平な凹部であり、該化粧料収容室１１１の周囲を囲む縁部１１２に対して相対的に窪んでいる。化粧料収容室１１１の平面形状は特に限定されないが、例えば矩形状となっている。
【００１７】
化粧料収容室１１１には、例えば、化粧料収容パレット１４０が収容されている。化粧料収容パレット１４０には、それぞれ化粧料を収容する複数の領域が形成されている。化粧料収容パレット１４０には、例えば、奥側から順に、第１収容領域１４１、第２収容領域１４２および第３収容領域１４３が形成されており、これら領域１４１〜１４３は、それぞれ左右方向に延在している。例えば、第１収容領域１４１にはベースとして用いられるクリーム状の化粧料１５１が収容され、第２収容領域１４２にはアイシャドウとして用いられる第１化粧料１５２ａおよび第２化粧料１５２ｂが収容され、第３収容領域１４３にはアイライナーとして用いられる化粧料１５３が収容されている。
【００１８】
第２収容領域１４２は、例えば上目蓋の形状を模した半月状ないしは三日月状の形状に形成されており、左右方向に長尺に形成されている。第２収容領域１４２のうち、当該第２収容領域１４２をその長手方向に沿って二分割する仮想的な分割線１４２ａによって仕切られた奥側の領域には、相対的に薄い色の第１化粧料１５２ａが収容され、分割線１４２ａによって仕切られた手前側の領域には、相対的に濃い色の第２化粧料１５２ｂが収容されている。なお、分割線１４２ａは、曲線でも良いし、直線でも良い。
このように、化粧料収容室１１１は、第１化粧料１５２ａと、第１化粧料１５２ａとは異なる色の第２化粧料１５２ｂと、を収容している収容領域（第２収容領域１４２）を含み、収容領域は、特定方向に長尺に形成されている。そして、第１化粧料１５２ａと第２化粧料１５２ｂとは、収容領域内において、それぞれ収容領域の長手方向に沿って、互いに並列に且つ隣接して延在している。
【００１９】
塗布具収容室１１３は、第１筐体１１０において、閉じた状態で第２筐体１２０と対向する面に形成された扁平な凹部であり、該塗布具収容室１１３の周囲を囲む縁部１１５に対して相対的に窪んでいる。塗布具収容室１１３は、平面視において一方向（例えば左右方向）に長尺に形成されている。塗布具収容室１１３は、仕切りを持たない１つの凹部である。塗布具収容室１１３の底面は、平坦な載置面１１４となっている。塗布具収容室１１３の平面形状は特に限定されないが、例えば矩形状となっている。
【００２０】
塗布具収容室１１３の長手寸法（左右方向の寸法）は、塗布具収容室１１３にまとめて収容される複数本の化粧料塗布具のうち、最も長手寸法が長い化粧料塗布具の長さよりも長い。一方、塗布具収容室１１３の短手寸法（奥行き方向の寸法）は、塗布具収容室１１３にまとめて収容される複数本の化粧料塗布具のうち、最も長手寸法が短い化粧料塗布具の長さよりも短い。
【００２１】
第１化粧料塗布具１０および第２化粧料塗布具２０は、それぞれの長手方向が塗布具収容室１１３の長手方向に沿うとともに互いに並列となって載置面１１４に載置されている。これにより、第１化粧料塗布具１０および第２化粧料塗布具２０は、塗布具収容室１１３から取り出し可能に塗布具収容室１１３に収容されている。
【００２２】
第２筐体１２０において、ヒンジ機構１３０から遠い縁辺部には、係止片１２３が設けられている。第１筐体１１０において、ヒンジ機構１３０から遠い縁辺部には、第１筐体１１０と第２筐体１２０とが相互に閉じられた状態において係止片１２３と係合する係止部１１６が設けられている。
【００２３】
第２筐体１２０は、蓋体である。第１筐体１１０と第２筐体１２０とが相互に閉じられた状態では、第１筐体１１０において第２筐体１２０側を向く面が第２筐体１２０により覆われるので、該第２筐体１２０によって、化粧料収容室１１１を保護したり、化粧料塗布具１０、２０の脱落を規制したりすることができる。それと同時に、第１筐体１１０と第２筐体１２０とが相互に閉じられた状態では、第２筐体１２０の凹部１２１が第１筐体１１０によって塞がれるので、凹部１２１に設けられた鏡１２２が第１筐体１１０により保護される。
【００２４】
図２は第１の実施形態に係る化粧料用容器１００の第１化粧料塗布具（化粧料塗布具）１０を示す図である。このうち図２（ａ）は平面図、図２（ｂ）は図２（ａ）の矢印Ｂ方向から見た側面図、図２（ｃ）は図２（ｂ）の矢印Ｃ方向から見た正面図、図２（ｄ）は図２（ｂ）の矢印Ｄ方向から見た背面図である。また、図２（ｅ）、図２（ｆ）および図２（ｇ）は、それぞれ第１化粧料塗布具１０の柄１１の長手方向に対して直交する柄１１の断面図である。このうち図２（ｅ）は図２（ａ）のＥ−Ｅ矢視断面図、図２（ｆ）は図２（ａ）のＦ−Ｆ矢視断面図、図２（ｇ）は図２（ａ）のＧ−Ｇ矢視断面図である。また、図２（ｈ）は図２（ａ）のＨ−Ｈ矢視断面図である。すなわち、図２（ｈ）は、柄１１の中心軸Ｘに対して平行で、且つ、中心軸Ｘに対して柄１１の幅方向にオフセットした位置での柄１１の縦断面を示す図である。なお、図２（ｅ）、図２（ｆ）および図２（ｇ）に示す各断面は、第１化粧料塗布具１０の薄手方向を上下方向とし、厚手方向を水平方向（左右方向）として示している。
【００２５】
図２に示すように、第１化粧料塗布具１０は、化粧ブラシである。第１化粧料塗布具１０においては、柄１１の一端部にのみ塗布体１２としてのブラシが設けられ、柄１１の他端部には塗布体１２が設けられていない。
【００２６】
図２（ｅ）、図２（ｆ）、図２（ｇ）等に示すように、柄１１の長手方向に対して直交する柄１１の断面形状は、扁平形状をなしている。すなわち、柄１１は薄手方向と厚手方向とを持つ。第１化粧料塗布具１０を載置面１１４に載置したとき、柄１１の断面における厚手方向が水平方向となり、柄１１の断面における薄手方向が上下方向となるようになっている。すなわち、柄１１の長手方向に対して直交する柄１１の断面形状は、第１化粧料塗布具１０が載置面１１４に載置された状態で、水平方向に比べて上下方向に薄い扁平形状をなしている。
【００２７】
柄１１は、第１化粧料塗布具１０が載置面１１４に載置された状態で載置面１１４に対して面接触する第１柄部１３と、第１化粧料塗布具１０が載置面１１４に載置された状態で載置面１１４に対して線接触する第２柄部１４と、を含んでいる。
第２柄部１４は、柄１１の長手方向において第１柄部１３よりも塗布体１２から遠くに位置している。なお、第１柄部１３と第２柄部１４とは、柄１１の長手方向において互いに隣接していても良いし、互いに離間していても良い。本実施形態の場合、第１柄部１３と第２柄部１４とが相互に隣接している。
【００２８】
より具体的には、例えば、第１柄部１３は、柄１１における塗布体１２側の端部を含む部分であり、第２柄部１４は、柄１１における塗布体１２側とは反対側の端部を含む部分である。
換言すれば、第１柄部１３は、柄１１の一端１１ａを含み、且つ、柄１１の長手方向において所定の寸法を持つ部分である。第２柄部１４は、柄１１の他端１１ｂを含み、且つ、柄１１の長手方向において所定の寸法を持つ部分である。
【００２９】
柄１１の長手方向における少なくとも一部分において、柄１１の長手方向に対して直交する柄１１の断面形状は、当該断面形状の下側及び上側の縁辺が凸曲線状となっている。すなわち、当該断面形状の下側の縁辺が下方に向けてアーチ状に膨出しているとともに、当該断面形状の上側の縁辺が上方に向けてアーチ状に膨出している。
より具体的には、第２柄部１４は、柄１１の長手方向における何れの位置においても、柄１１の長手方向に対して直交する断面形状の下側及び上側の縁辺が凸曲線状となっている。つまり、第２柄部１４の下面及び上面は、凸曲面状となっている。
なお、このように第２柄部１４の下面及び上面が凸曲面状であるため、第１化粧料塗布具１０を上下の別なく載置面１１４に載置することができる。
また、この断面形状は、左右対称であることが好ましい。
柄１１の長手方向に対して直交する断面形状の下側及び上側の縁辺が凸曲線状となる形状には、楕円状の形状や紡錘形状の他、断面の両側部の縁辺に直線部を含む形状などが含まれる。
楕円状の形状には、楕円形状（２つの定点からの距離の和が一定となるような点の集合から作られる曲線からなり、短軸と長軸とを持つ形状）に限らず、楕円以外の形状であるが楕円に近い形状が含まれる。楕円状の形状の場合、柄１１の長手方向に対して直交する断面形状の両側部の縁辺が凸曲線状となっている、すなわち側方（外方）に向けてアーチ状（凸曲線状に）に膨出している。
【００３０】
柄１１の中心軸Ｘを通る柄１１の縦断面の厚みは、柄１１の長手方向に亘ってほぼ一定であるか、又は、一端１１ａから他端１１ｂに向けて徐々に縮小している（図２（ｂ）参照）。すなわち、図２（ｂ）に示す厚みｄ１と厚みｄ２とは、互いに同等であっても良いし、厚みｄ１よりも厚みｄ２が僅かに薄くても良い。ここで、厚みｄ１は、柄１１の一端１１ａ側および他端１１ｂ側の面取り部分を除く部分における最大の厚みであり、厚みｄ２は、柄１１の一端１１ａ側および他端１１ｂ側の面取り部分を除く部分における最小の厚みである。
厚みｄ１と厚みｄ２との比（ｄ１：ｄ２）は、１：１から５：１の範囲とすることにより、柄１１を持ちやすくなる。一方、取り出しやすさの観点からは、厚みｄ１と厚みｄ２との比（ｄ１：ｄ２）は、１：１：３：１の範囲とすることが好ましい。また、使いやすさの観点からは、厚みｄ１と厚みｄ２との比（ｄ１：ｄ２）は、１：１から２：１の範囲とすることが好ましい。
【００３１】
また、図２（ｈ）に示すように、柄１１の中心軸Ｘを通る柄１１の縦断面に対して平行で、且つ、中心軸Ｘからオフセットされた位置での柄１１の縦断面の厚みは、一端１１ａ側の部分での厚みよりも、他端１１ｂの部分での厚みの方が薄くなっている。より具体的には、例えば、第１柄部１３における他端１１ｂ側の端部と、他端１１ｂとの間には、区間１７と区間１８とが形成されている。このうち区間１７は、第１柄部１３に隣接しているとともに他端１１ｂ側に向けて厚みが徐々に薄くなる区間である。また、区間１８は、区間１７と他端１１ｂとの間に位置しているとともに厚みがほぼ一定の区間である。
なお、区間１８の厚みは、区間１７における最小の厚みとほぼ同じである。より具体的には、例えば、区間１８の厚みは、平面視において中心軸Ｘと一致する部分および中心軸Ｘに近い部分では、区間１８と区間１７との境界部での厚みよりも、他端１１ｂ側の部分での厚みの方が薄くなっている。その一方で、平面視において中心軸Ｘから遠い部分では、区間１８の厚みは、区間１８と区間１７との境界部での厚みよりも、他端１１ｂ側の部分での厚みの方が厚くなっている。つまり、区間１８の厚みに関し、区間１８と区間１７との境界部での厚みに対する他端１１ｂ側の部分の厚みは、平面視において中心軸Ｘから遠ざかるにつれて大きくなり、且つ、それらの大小関係は、ある位置で逆転する。
【００３２】
上記のように、第２柄部１４は、柄１１の長手方向において所定の寸法を持つとともに、柄１１の長手方向における何れの位置においても、柄１１の長手方向に対して直交する断面形状の下側及び上側の縁辺が凸曲線状となっており、且つ、柄１１の中心軸Ｘを通る柄１１の縦断面の厚みは、柄１１の長手方向に亘ってほぼ一定であるか又は一端１１ａから他端１１ｂに向けて徐々に縮小している。
このため、第１化粧料塗布具１０が載置面１１４に載置された状態で、第２柄部１４は、載置面１１４に対して線接触するようになっている。具体的には、厚手方向である水平方向の中央部分（中心軸Ｘを通る柄１１の縦断面における第２柄部１４の下側の縁辺）が載置面１１４に線接触する。
【００３３】
一方、第１柄部１３においては、柄１１の長手方向に対して直交する断面形状は、扁平な矩形状（例えば、角丸の矩形状）となっている。すなわち、第１柄部１３は、扁平な直方体形状となっている。図２（ｅ）に示すように、第１柄部１３は、下面１３ａ、上面１３ｂ、側面１３ｃおよび１３ｄを有し、下面１３ａ、上面１３ｂ、側面１３ｃおよび１３ｄは、それぞれ平面状となっている。なお、下面１３ａ、上面１３ｂ、側面１３ｃおよび１３ｄの相互の境界部は、例えば、面取りされている。
第１柄部１３は、柄１１の長手方向において所定の寸法を持つため、第１化粧料塗布具１０が載置面１１４に載置された状態で、第１柄部１３は載置面１１４に対して面接触する。
【００３４】
上記のように、柄１１は、その長手方向における両端間（一端１１ａと他端１１ｂとの間）の部位に、載置面１１４に載置された状態での平面形状が括れ形状となる括れ部１５を有している。括れ部１５は、例えば、柄１１の長手方向における中間部に形成されている。より具体的には、括れ部１５は、例えば、柄１１をその長手方向において２等分したときの中間位置をまたいで形成されている。ただし、括れ部１５は、必ずしも、この中間位置をまたぐように形成されていなくても良い。
【００３５】
図２（ａ）に示すように、括れ部１５は、柄１１における手前側及び奥側の側面が、それぞれ柄１１の中心軸Ｘ側に向けて窪んだ形状とされることにより構成されている。すなわち、本実施形態の場合、括れ部１５は、平面視における手前側及び奥側の部分がそれぞれ括れることにより形成されている。
本実施形態の場合、図２（ａ）に示すように、括れ部１５は、第１柄部１３における他端１１ｂ側の端部から、第２柄部１４における他端１１ｂ側の端部近傍の部位に亘って形成されている。すなわち、本実施形態の場合、第２柄部１４は括れ部１５の全部を含んでいる。
ただし、第１柄部１３が括れ部１５の一部又は全部を含んでいても良いし、第２柄部１４が括れ部１５を含んでいなくても良い。
【００３６】
図２（ａ）に示すように、載置面１１４に載置された状態での平面視における括れ部１５の幅寸法は、柄１１の長手方向における括れ部１５の一端側から他端側に向けて、徐々に減少した後、徐々に増大している。より具体的には、載置面１１４に載置された状態での平面視における括れ部１５の幅寸法は、柄１１の長手方向における括れ部１５の一端側から他端側に向けて、連続的に減少した後、連続的に増大している。なお、載置面１１４に載置された状態での平面視における括れ部１５の幅寸法は、柄１１の長手方向における括れ部１５の一端側から他端側に向けて、段階的に減少した後、段階的に増大していても良い。
【００３７】
柄１１は、例えば、中心軸Ｘを通る柄１１の縦断面を基準とした面対称形となっている。また、柄１１は、例えば、中心軸Ｘを通る柄１１の平断面を基準とした面対称形となっている。
【００３８】
第２柄部１４は、図２（ｆ）および（ｇ）に示すように、下面１４ａ、上面１４ｂ、側面１４ｃおよび側面１４ｄを有している。
図２（ｆ）の断面位置の近傍においては、下面１４ａ、上面１４ｂ、側面１４ｃおよび側面１４ｄは、例えば、それぞれ凸曲面となっている。すなわち、図２（ｆ）の断面位置の近傍においては、例えば、柄１１の長手方向に対して直交する柄１１の断面形状は、当該断面形状の下側、上側および左右両側の縁辺が凸曲線状となっている。つまり、第２柄部１４の断面形状は、例えば楕円状となっている。
一方、図２（ｇ）の断面位置の近傍においては、例えば、下面１４ａおよび上面１４ｂはそれぞれ凸曲面となっていて、側面１４ｃおよび側面１４ｄはそれぞれ平面状の部分を含んでいる。すなわち、図２（ｆ）の断面位置の近傍においては、例えば、柄１１の長手方向に対して直交する柄１１の断面形状は、当該断面形状の下側および上側の縁辺が凸曲線状となっているが、左右両側の縁辺は直線部を含んでいる。
【００３９】
括れ部１５は、図２（ｇ）に示すように、下面１５ａ、上面１５ｂ、側面１５ｃおよび側面１５ｄを有している。
ここで、図２（ｇ）の断面の位置では、下面１４ａ（下面１５ａ）は、図２（ｆ）の断面の位置での下面１４ａと比べて、平面に近い形状となっている。同様に、図２（ｇ）の断面の位置では、上面１４ｂ（上面１５ｂ）、側面１４ｃ（側面１５ｃ）および側面１４ｄ（側面１５ｄ）は、図２（ｆ）の断面の位置での上面１４ｂ、側面１４ｃおよび側面１４ｄと比べて、それぞれ平面に近い形状となっている。
また、下面１４ａ（下面１５ａ）、上面１４ｂ（上面１５ｂ）、側面１４ｃ（側面１５ｃ）および側面１４ｄ（側面１５ｄ）の形状は、一端１１ａ側に向けて、徐々に平面に近い形状となっている。
例えば、下面１５ａおよび上面１５ｂはそれぞれ凸曲面となっていて、側面１５ｃおよび側面１５ｄはそれぞれ平面状の部分を含んでいる。すなわち、括れ部１５においては、例えば、柄１１の長手方向に対して直交する柄１１の断面形状は、当該断面形状の下側および上側の縁辺が凸曲線状となっているが、左右両側の縁辺は直線部を含んでいる。
【００４０】
柄１１には、一端１１ａ側に開口する凹部１６が形成されており、この凹部１６には、塗布体１２としてのブラシを構成する多数の毛の一端側部分が挿入され且つ接着固定されている。なお、柄１１において、毛の一端側部分が挿入される部分以外の部分は、中実となっていても良いし、中空となっていても良い。
【００４１】
ここで、第１化粧料塗布具１０の塗布体１２は、第１化粧料塗布具１０の柄１１の長手方向に対して直交する方向に並んで配置されている第１塗布部１２ａと第２塗布部１２ｂとを有している。そして、第１塗布部１２ａを構成する毛の色よりも、第２塗布部１２ｂを構成する毛の色の方が、濃い色となっている。すなわち、第１化粧料塗布具１０は、２色の毛を有する２色ブラシとなっている。
このように、複数の化粧料塗布具のうち、少なくとも何れか１つの化粧料塗布具（第１化粧料塗布具１０）の塗布体１２は、化粧料塗布具の柄１１の長手方向に対して直交する方向に並んで配置されている第１塗布部１２ａと第２塗布部１２ｂとを有し、第１塗布部１２ａと第２塗布部１２ｂとは互いに異なる色のものである。
【００４２】
図３は第１の実施形態に係る化粧料用容器１００の第２化粧料塗布具（化粧料塗布具）２０を示す図である。このうち図３（ａ）は平面図、図３（ｂ）は図３（ａ）の矢印Ｂ方向から見た側面図、図３（ｃ）は図３（ｂ）の矢印Ｃ方向から見た正面図、図３（ｄ）は図３（ｂ）の矢印Ｄ方向から見た背面図である。また、図３（ｅ）、図３（ｆ）および図３（ｇ）は、それぞれ第２化粧料塗布具２０の柄１１の長手方向に対して直交する柄１１の断面図である。このうち図３（ｅ）は図３（ａ）のＥ−Ｅ矢視断面図、図３（ｆ）は図３（ａ）のＦ−Ｆ矢視断面図、図３（ｇ）は図３（ａ）のＧ−Ｇ矢視断面図である。なお、図３（ｅ）、図３（ｆ）および図３（ｇ）に示す各断面は、第２化粧料塗布具２０の薄手方向を上下方向とし、厚手方向を水平方向（左右方向）として示している。
【００４３】
第２化粧料塗布具２０は、アイラインを描くためのものである。第２化粧料塗布具２０においては、柄１１の一端部にのみ塗布体１２としてのチップが設けられ、柄１１の他端部には塗布体１２が設けられていない。第２化粧料塗布具２０の塗布体１２は、樹脂製のスポンジ等の、柔軟な多孔質材料により構成されている。第２化粧料塗布具２０は、塗布体１２を柄１１に固定するための棒状の軸部２７を有している。この軸部２７の一端側の部分の周囲には塗布体１２が設けられており、軸部２７の他端側部分は、柄１１の一端１１ａ側より柄１１に対して差し込み固定されている。
【００４４】
図３（ｅ）、図３（ｆ）、図３（ｇ）等に示すように、第２化粧料塗布具２０においても、柄１１の長手方向に対して直交する柄１１の断面形状は、扁平形状をなしている。第２化粧料塗布具２０を載置面１１４に載置したとき、柄１１の断面における厚手方向が水平方向となり、柄１１の断面における薄手方向が上下方向となるようになっている。すなわち、柄１１の長手方向に対して直交する柄１１の断面形状は、第２化粧料塗布具２０が載置面１１４に載置された状態で、水平方向に比べて上下方向に薄い扁平形状をなしている。
【００４５】
第２化粧料塗布具２０においても、柄１１の長手方向における少なくとも一部分において、柄１１の長手方向に対して直交する柄１１の断面形状は、当該断面形状の下側及び上側の縁辺が凸曲線状となっている。すなわち、当該断面形状の下側の縁辺が下方に向けてアーチ状に膨出しているとともに、当該断面形状の上側の縁辺が上方に向けてアーチ状に膨出している。
より具体的には、柄１１の長手方向における何れの位置においても、柄１１の長手方向に対して直交する断面形状の下側及び上側の縁辺が凸曲線状となっている（図３（ｅ）、図３（ｆ）、図３（ｇ）参照）。つまり、柄１１の下面及び上面は、凸曲面状となっている。
なお、このように柄１１の下面及び上面が凸曲面状であるため、第２化粧料塗布具２０を上下の別なく載置面１１４に載置することができる。
柄１１の長手方向に対して直交する断面形状の下側及び上側の縁辺が凸曲線状となる形状には、楕円状の形状や紡錘形状の他、断面の両側部の縁辺に直線部を含む形状などが含まれる。
楕円状の形状には、楕円形状（２つの定点からの距離の和が一定となるような点の集合から作られる曲線からなり、短軸と長軸とを持つ形状）に限らず、楕円以外の形状であるが楕円に近い形状が含まれる。楕円状の形状の場合、柄１１の長手方向に対して直交する断面形状の両側部の縁辺が凸曲線状となっている、すなわち側方（外方）に向けてアーチ状（凸曲線状に）に膨出している。
【００４６】
柄１１の中心軸Ｘを通る柄１１の縦断面の厚みは、柄１１の長手方向に亘ってほぼ一定であるか、又は、柄１１の一端１１ａ側の部分から他端１１ｂ側の部分に向けて徐々に縮小している（図３（ｂ）参照）。すなわち、図３（ｂ）に示す厚みｄ１と厚みｄ２とは、互いに同等であっても良いし、厚みｄ１よりも厚みｄ２が僅かに薄くても良い。ここで、厚みｄ１は、柄１１の最大の厚みであり、厚みｄ２は、柄１１の他端１１ｂ側の部分のうち、面取り部分を除く部分における最小の厚みである。
厚みｄ１と厚みｄ２との比（ｄ１：ｄ２）は、１：１から５：１の範囲とすることにより、柄１１を持ちやすくなる。一方、取り出しやすさの観点からは、厚みｄ１と厚みｄ２との比（ｄ１：ｄ２）は、１：１：３：１の範囲とすることが好ましい。また、使いやすさの観点からは、厚みｄ１と厚みｄ２との比（ｄ１：ｄ２）は、１：１から２：１の範囲とすることが好ましい。
【００４７】
ここで、上記のように、柄１１の長手方向における何れの位置においても、柄１１の長手方向に対して直交する断面形状の下側及び上側の縁辺が凸曲線状となっている。
このため、柄１１の中心軸Ｘを通る柄１１の縦断面の厚みが、柄１１の長手方向に亘ってほぼ一定である場合、第２化粧料塗布具２０が載置面１１４に載置された状態で、柄１１は、載置面１１４に対して線接触する。
或いは、柄１１の中心軸Ｘを通る柄１１の縦断面の厚みが、柄１１の一端１１ａ側の部分から他端１１ｂ側の部分に向けてリニアに減少している場合も、第２化粧料塗布具２０が載置面１１４に載置された状態で、柄１１は、載置面１１４に対して線接触する。
【００４８】
第２化粧料塗布具２０においても、柄１１は、その長手方向における両端間（一端１１ａと他端１１ｂとの間）の部位に、載置面１１４に載置された状態での平面形状が括れ形状となる括れ部１５を有している。括れ部１５は、例えば、柄１１の長手方向における中間部に形成されている。より具体的には、括れ部１５は、例えば、柄１１をその長手方向において２等分したときの中間位置をまたいで形成されている。ただし、括れ部１５は、必ずしも、この中間位置をまたぐように形成されていなくても良い。
【００４９】
括れ部１５は、例えば、柄１１における一端１１ａ側の端部近傍の部位から、柄１１における他端１１ｂ側の端部近傍の部位に亘って形成されている。図３（ａ）に示すように、括れ部１５は、柄１１における手前側及び奥側の側面が、それぞれ柄１１の中心軸Ｘ側に向けて窪んだ形状とされることにより構成されている。すなわち、第２化粧料塗布具２０の括れ部１５も、例えば、平面視における手前側及び奥側の部分がそれぞれ括れることにより形成されている。
【００５０】
図３（ａ）に示すように、載置面１１４に載置された状態での平面視における括れ部１５の幅寸法は、柄１１の長手方向における括れ部１５の一端側から他端側に向けて、徐々に減少した後、徐々に増大している。より具体的には、載置面１１４に載置された状態での平面視における括れ部１５の幅寸法は、柄１１の長手方向における括れ部１５の一端側から他端側に向けて、連続的に減少した後、連続的に増大している。なお、載置面１１４に載置された状態での平面視における括れ部１５の幅寸法は、柄１１の長手方向における括れ部１５の一端側から他端側に向けて、複数の段階的に減少した後、複数の段階的に増大していても良い。
【００５１】
柄１１は、例えば、中心軸Ｘを通る柄１１の縦断面を基準とした面対称形となっている。また、柄１１は、例えば、中心軸Ｘを通る柄１１の平断面を基準とした面対称形となっている。
【００５２】
柄１１は、下面２３ａ、上面２３ｂ、側面２３ｃおよび側面２３ｄを有している。下面２３ａ、上面２３ｂ、側面２３ｃおよび側面２３ｄは、例えば、それぞれ凸曲面となっている。すなわち、例えば、柄１１の長手方向に対して直交する柄１１の断面形状は、当該断面形状の下側、上側および左右両側の縁辺が凸曲線状となっている。つまり、柄１１の断面形状は、例えば楕円状となっている。
そして、括れ部１５の下面１５ａ、上面１５ｂ、側面１５ｃおよび側面１５ｄも、それぞれ凸曲面となっている。すなわち、括れ部１５の断面形状は、例えば楕円状となっている。
【００５３】
なお、第１化粧料塗布具１０および第２化粧料塗布具２０のそれぞれにおいて、柄１１の材料は、特に限定されない。柄１１は、樹脂により構成されていても良いし、木材等の、樹脂以外の材料により構成されていても良い。
【００５４】
図４は第１の実施形態に係る化粧料用容器１００の第１化粧料塗布具１０の取り出し動作を説明するための図であり、このうち図４（ａ）は指で第１化粧料塗布具１０を摘み上げる動作を示す斜視図、図４（ｂ）は柄１１（例えば第２柄部１４）の回動を示す断面図である。
【００５５】
図４（ａ）に示すように、例えば、第１化粧料塗布具１０の括れ部１５を人差し指と親指で摘むようにして柄１１を持ち上げることにより、容易に第１化粧料塗布具１０を塗布具収容室１１３から取り出すことができる。なぜなら、第１化粧料塗布具１０の括れ部１５と第２化粧料塗布具２０の括れ部１５とが互いに対向しているため、第１化粧料塗布具１０と第２化粧料塗布具２０との間に大きな隙間が形成されており、その隙間に容易に指（親指等）を差し入れることができるからである。
【００５６】
ここで、第１化粧料塗布具１０の柄１１を摘み上げる際に、第２柄部１４において中心軸Ｘから奥側にオフセットしている部位１４ｅを何れかの指（例えば薬指等）によって下に押すことにより、更に容易に柄１１を摘み上げることができる。
その理由は、以下の通りである。
第１化粧料塗布具１０の柄１１は、中心軸Ｘを通る縦断面では、図２（ｂ）に示す側面図と同じく厚みがほぼ一定である。
一方、図２（ｈ）に示すように、中心軸Ｘからオフセットされた縦断面においては、一端１１ａ側の部分での厚みよりも、他端１１ｂの部分での厚みの方が薄くなっている。
更に、柄１１の長手方向に直交する第２柄部１４の断面形状は、上記のように下側及び上側の縁辺が凸曲線状となっている。
よって、図４（ａ）に示す部位１４ｅを下に押すと、第２柄部１４の下面１４ａにおいて中心軸Ｘの下方に位置する部分が支点となって柄１１が回動し（図４（ｂ）参照）、図４（ａ）に示す部位１５ｅが上方に浮き上がる。ここで、柄１１がその場で捻られつつ回動するため、狭いスペースで第１化粧料塗布具１０を容易に取り出すことができる。つまり、柄１１が純粋にその中心軸Ｘ周りに回動するのではなく、柄１１の中心軸Ｘの捻りを伴った柄１１の回動を実現できる。このため、柄１１が純粋にその中心軸Ｘ周りに回動する場合と比べて、部位１５ｅの上昇量が増大するので、柄１１を摘む動作が極めて容易となる。なお、部位１５ｅは、括れ部１５の側面であって、括れ部１５において中心軸Ｘから手前側にオフセットしている部分である。
【００５７】
図５は第１の実施形態に係る化粧料用容器１００の第１化粧料塗布具１０を手で持った状態を示す図である。
【００５８】
使用者は、第１化粧料塗布具１０を塗布具収容室１１３から取り出した後、例えば、図５に示すような持ち方で、第１化粧料塗布具１０を持つことができる。このとき、指を括れ部１５にフィットさせて柄１１を持つことができるため、第１化粧料塗布具１０を安定的に支えることができる。
また、人差し指などの腹を、括れ部１５の側面（例えば側面１５ｄ）或いは第１柄部１３の側面（例えば側面１３ｄ）に添えることにより、柄１１が中心軸Ｘ周りにブレてしまうことを抑制することができる。なぜなら、第１柄部１３の側面は、平面状であるとともに、括れ部１５の側面は、第２柄部１４の曲面状の側面（側面１４ｃおよび側面１４ｄ）よりも、平面に近い形状となっているためである。
また、柄１１の他端１１ｂ側の端部が、他端１１ｂ側に向けて幅広になっていることにより、柄１１を安定的に持ちやすい。
【００５９】
なお、第２化粧料塗布具２０を取り出す際にも、例えば、第２化粧料塗布具２０の括れ部１５を人差し指と親指で摘むようにして柄１１を持ち上げることにより、容易に第２化粧料塗布具２０を塗布具収容室１１３から取り出すことができる。なぜなら、第２化粧料塗布具２０の括れ部１５と第１化粧料塗布具１０の括れ部１５とが互いに対向しているため、第２化粧料塗布具２０と第１化粧料塗布具１０との間に大きな隙間が形成されており、その隙間に容易に指（親指等）を差し入れることができるからである。
また、第２化粧料塗布具２０の柄１１の断面形状は、その下側及び上側の縁辺が凸曲線状となっているため、柄１１を容易にその場で回動させつつ、摘み上げることができるため、狭いスペースで第２化粧料塗布具２０を容易に取すことができる。
【００６０】
次に、化粧料用容器１００を用いた化粧方法の一例を説明する。図６は化粧料用容器１００の使用例を示す図である。
【００６１】
先ず、第１収容領域１４１に収容されているクリーム状のベースである化粧料１５１を指でとって目蓋に塗布することにより、目蓋のくすみをカバーする。
【００６２】
次に、第１化粧料塗布具１０を用いて、第２収容領域１４２に収容されているアイシャドウである第１化粧料１５２ａおよび第２化粧料１５２ｂを取る。このとき、図６に示すように、第１化粧料塗布具１０の第１塗布部１２ａを第１化粧料１５２ａの上にのせるとともに、第２塗布部１２ｂを第２化粧料１５２ｂの上にのせる。そして、第１塗布部１２ａと第２塗布部１２ｂとの境界が分割線１４２ａに沿って移動するように、第１化粧料塗布具１０を第２収容領域１４２の長手方向に沿って移動させる。これにより、第１塗布部１２ａには主に第１化粧料１５２ａを付着させ、第２塗布部１２ｂには主に第２化粧料１５２ｂを付着させることができる。すなわち、第１化粧料１５２ａおよび第２化粧料１５２ｂの色の濃淡と、第１化粧料塗布具１０の第１塗布部１２ａおよび第２塗布部１２ｂの色の濃淡とが一致するように、第１塗布部１２ａおよび第２塗布部１２ｂに第１化粧料１５２ａおよび第２化粧料１５２ｂをそれぞれ付着させることができる。そして、第１塗布部１２ａを上側、第２塗布部１２ｂを下側にして、塗布体１２を目蓋に当て、そのまま第１化粧料塗布具１０を目蓋に沿って横に移動させることにより、第１化粧料１５２ａおよび第２化粧料１５２ｂを目蓋に塗布する。これにより、目から上に遠ざかるにつれて淡い色となる自然なグラデーションが形成されるように、アイシャドウを容易に目蓋に塗布することができる。ここで、第１化粧料塗布具１０の柄１１は扁平に形成されているため、使用者は、第１塗布部１２ａおよび第２塗布部１２ｂが意図した向き（位置）となるような持ち方で柄１１を持つことができる。よって、第１塗布部１２ａおよび第２塗布部１２ｂの各々により、目蓋の意図した部分に化粧料を塗布することを、容易に行うことができる。
【００６３】
次に、第２化粧料塗布具２０を用いて、第３収容領域１４３に収容されているアイライナーである化粧料１５３を取る。すなわち、第２化粧料塗布具２０の塗布体１２に化粧料１５３を付着させる。そして、第２化粧料塗布具２０を用いて化粧料１５３を目の際に塗布することにより、アイラインを形成する。
【００６４】
このような３ステップを経ることにより、簡単に、くすみをカバーしてグラデーションが形成された明るい目元になるような化粧を行うことができる。
【００６５】
なお、化粧料収容パレット１４０に収容された化粧料を使い切った場合には、新たな化粧料収容パレット１４０に交換できるようになっている。すなわち、化粧料をリフィルできるようになっている。なお、リフィル用のセットには、化粧料収容パレット１４０とともに、塗布具収容室１１３に新たに収容される複数本の化粧料塗布具が含まれていても良い。
【００６６】
以上のような第１の実施形態によれば、塗布具収容室１１３に収容された複数本の化粧料塗布具の各々の柄１１は、その長手方向における両端間の部位に、載置面１１４に載置された状態での平面形状が括れ形状となる括れ部１５を有している。そして、これら複数本の化粧料塗布具のうち、互いに隣り合う化粧料塗布具の括れ部１５どうしが向かい合っている。よって、化粧料塗布具が括れ部１５を有していない場合と比べて、互いに隣り合う化粧料塗布具どうしの隙間を広くすることができるので、その隙間に容易に指を差し入れて、化粧料塗布具の柄１１を摘み上げることができる。
よって、塗布具収容室１１３を十分に小型に形成しても、化粧料塗布具を容易に取り出すことができる。
また、括れ部１５に指をしっかりフィットさせて柄１１を持つことができるため、化粧料塗布具を手で安定的に持った状態で、化粧を行うことができる。よって、所望の部位に対して、所望の押圧量で塗布体１２を接触させて、化粧料を塗布することができる。
なお、複数本の化粧料塗布具を、１つの塗布具収容室１１３にまとめて収容するため、すなわち複数本の化粧料塗布具を共通の載置面１１４に載置して収容するため、塗布具収容室１１３に収容する化粧料塗布具の組み合わせを、太さ、長さ、塗布体１２の形態等が異なる化粧料塗布具の組み合わせのものへと容易に交換することができる。つまり、化粧料塗布具の複数種のセットに対して、同一の容器本体１００ａを使い回すことができる。
【００６７】
また、柄１１の長手方向に対して直交する柄１１の断面形状は、化粧料塗布具が載置面１１４に載置された状態での上下方向に薄い扁平形状をなしている。このため、化粧料塗布具を載置面１１４に安定的に載置することができる。また、化粧料塗布具をテーブル等に置いたときに、化粧料塗布具が転がり落ちてしまうことを抑制することができる。
また、指を扁平な柄１１にフィットさせて柄１１を安定的に持つことができるとともに、塗布体１２の向きを容易に所望の向きに調節して化粧料塗布具を用いることができる。
【００６８】
また、柄１１の長手方向における少なくとも一部分において、柄１１の長手方向に対して直交する断面形状の下側及び上側の縁辺が凸曲線状となっているので、その部分の手触りがソフトになるため、柄１１を持ちやすい。特に、柄１１の長手方向に対して直交する断面形状が楕円状となっていることにより、手触りをよりソフトにすることができる。
また、特に、柄１１の他端１１ｂ側の端部の断面形状の下側及び上側の縁辺が凸曲線状となっていることによって、化粧料塗布具を塗布具収容室１１３から取り出す際に、柄１１が縁部１１５に引っ掛かってしまったり、柄１１が隣の化粧料塗布具の柄１１に引っ掛かってしまったりすることを抑制することができる。すなわち、柄１１が縁部１１５や隣の化粧料塗布具の柄１１に接触した場合でも、柄１１をスムーズに移動させて取り出すことができる。よって、塗布具収容室１１３が狭くても、化粧料塗布具を塗布具収容室１１３から容易に取り出すことができる。特に、柄１１の他端１１ｂ側の端部の断面形状が楕円状であることにより、化粧料塗布具の取り出しをより確実にスムーズに行うことができる。
【００６９】
また、第１化粧料塗布具１０においては、柄１１の一端部にのみ塗布体１２が設けられ、柄１１の他端部には塗布体１２が設けられておらず、柄１１は、第１化粧料塗布具１０が載置面１１４に載置された状態で載置面１１４に対して面接触する第１柄部１３と、第１化粧料塗布具１０が載置面１１４に載置された状態で載置面１１４に対して線接触する第２柄部１４と、を含んでいる。第２柄部１４は、柄１１の長手方向において第１柄部１３よりも塗布体１２から遠くに位置している。第２柄部１４は、柄１１の長手方向における何れの位置においても、柄１１の長手方向に対して直交する断面形状の下側及び上側の縁辺が凸曲線状となっている。
これにより、第１化粧料塗布具１０を載置面１１４に載置したときや第１化粧料塗布具１０を手で保持するときの安定性と、第１化粧料塗布具１０を載置面１１４から取り出す際の容易性と、を両立させることができる。
すなわち、第１柄部１３が載置面１１４に対して面接触するので、第１化粧料塗布具１０を載置面１１４上に安定的に載置することができる。また、第１柄部１３において載置面１１４に対して面接触する面に指を添えて柄１１を持つことにより、柄１１を安定的に持つことができる。
また、例えば、図４（ａ）に示す部位１４ｅを下に押すと（図４（ｂ）参照）、第２柄部１４の下面１４ａにおいて中心軸Ｘの下方に位置する部分が支点となって柄１１が回動し、図４（ａ）に示す部位１５ｅが上方に浮き上がる。ここで、柄１１の中心軸Ｘの捻りを伴った柄１１の回動を実現できるため、柄１１が純粋にその中心軸Ｘ周りに回動する場合と比べて、部位１５ｅの上昇量が増大する。よって、塗布具収容室１１３が狭くても、第１化粧料塗布具１０を塗布具収容室１１３から容易に取り出すことができる。
【００７０】
特に、中心軸Ｘからオフセットされた柄１１の縦断面においては、柄１１の厚みが、一端１１ａ側の部分での厚みよりも、他端１１ｂの部分での厚みの方が薄くなっていることにより、図４（ａ）に示す部位１４ｅを下に押したときの、部位１５ｅの上昇量を、さらに大きくすることができるので、柄１１を摘む動作が極めて容易となる。
【００７１】
また、第２化粧料塗布具２０においては、柄１１の長手方向における何れの位置においても、柄１１の長手方向に対して直交する柄１１の断面形状の下側及び上側の縁辺が凸曲線状となっている。これにより、柄１１をその場で中心軸Ｘ周りに回動させて摘み上げる動作を容易に行うことができる。よって、塗布具収容室１１３が狭くても、第２化粧料塗布具２０を塗布具収容室１１３から容易に取り出すことができる。
【００７２】
また、複数の化粧料塗布具のうち、少なくとも何れか１つの化粧料塗布具においては、載置面１１４に載置された状態での平面視における括れ部１５の幅寸法が、柄１１の長手方向における括れ部１５の一端側から他端側に向けて、徐々に減少した後、徐々に増大している。これにより、隣り合う化粧料塗布具の括れ部１５どうしの間の隙間に対して、スムーズに指を差し入れることができるので、化粧料塗布具の取り出しをより容易に行うことができる。
【００７３】
また、化粧料収容室１１１は、第１化粧料１５２ａと、第１化粧料１５２ａとは異なる色の第２化粧料１５２ｂと、を収容している収容領域（第２収容領域１４２）を含み、収容領域は、特定方向に長尺に形成されている。第１化粧料１５２ａと第２化粧料１５２ｂとは、収容領域内において、それぞれ収容領域の長手方向に沿って、互いに並列に且つ隣接して延在している。そして、第１化粧料塗布具１０の塗布体１２は、第１化粧料塗布具１０の柄１１の長手方向に対して直交する方向に並んで配置されている第１塗布部１２ａと第２塗布部１２ｂとを有し、第１塗布部１２ａと第２塗布部１２ｂとは互いに異なる色のものとなっている。よって、図６を用いて説明したように、第１化粧料１５２ａおよび第２化粧料１５２ｂの色の濃淡と、第１化粧料塗布具１０の第１塗布部１２ａおよび第２塗布部１２ｂの色の濃淡とを一致させて、化粧料を塗布することができる。これにより、常に、第１塗布部１２ａには第１化粧料１５２ａを付着させ、第２塗布部１２ｂには第２化粧料１５２ｂを付着させることができるため、第１化粧料１５２ａと第２化粧料１５２ｂとの色が混じってしまうことを抑制できる。よって、第１化粧料塗布具１０を繰り返し使用した後でも、きれいなグラデーションを再現性良く形成することができる。
【００７４】
〔第２の実施形態〕
図７は第２の実施形態に係る化粧料用容器（全体図示略）が備える複数本の化粧料塗布具を示す平面図である。
【００７５】
本実施形態に係る化粧料用容器は、化粧料塗布具が上記の第１の実施形態に係る化粧料用容器１００と相違し、容器本体１００ａ上記の第１の実施形態に係る化粧料用容器１００と同様に構成されている。
【００７６】
上記の第１の実施形態では、化粧料用容器１００が２本の化粧料塗布具を備える例を説明したが、第２の実施形態では、化粧料用容器は、３本の化粧料塗布具を備えている。
図７に示すように、本実施形態に係る化粧料用容器は、第１化粧料塗布具３０、第２化粧料塗布具４０および第３化粧料塗布具５０を備えている。
【００７７】
第２化粧料塗布具４０は、上記の第２化粧料塗布具２０と同様のものである。
一方、第１化粧料塗布具３０および第３化粧料塗布具５０は、柄１１の両端側にそれぞれ塗布体１２を有している点で、上記の第２化粧料塗布具２０と相違し、その他の点では、第２化粧料塗布具２０と同様に構成されている。
【００７８】
このような３本の化粧料塗布具（第１化粧料塗布具３０、第２化粧料塗布具４０および第３化粧料塗布具５０）を、上記の２本の化粧料塗布具（第１化粧料塗布具１０および第２化粧料塗布具２０）の代わりに、まとめて塗布具収容室１１３に収容できるようになっている。なお、塗布具収容室１１３に収容する化粧料塗布具を図７に示す３本セットに交換するのに併せて、化粧料収容室１１１に収容する化粧料収容パレット１４０についても、これら化粧料塗布具と対応する化粧料を収容したものに交換することができる。
【００７９】
図８は第２の実施形態に係る化粧料用容器の第１化粧料塗布具３０を示す図である。このうち図８（ａ）は平面図、図８（ｂ）は図８（ａ）の矢印Ｂ方向から見た側面図、図８（ｃ）は図８（ａ）の矢印Ｃ方向から見た正面図、図８（ｄ）は図８（ａ）の矢印Ｄ方向から見た背面図である。また、図８（ｅ）、図８（ｆ）および図８（ｇ）は、それぞれ第１化粧料塗布具３０の柄１１の長手方向に対して直交する柄１１の断面図である。このうち図８（ｅ）は図８（ａ）のＥ−Ｅ矢視断面図、図８（ｆ）は図８（ａ）のＦ−Ｆ矢視断面図、図８（ｇ）は図８（ａ）のＧ−Ｇ矢視断面図である。
【００８０】
両端に塗布体１２を有する第１化粧料塗布具３０においては、例えば、厚みｄ２は、括れ部１５の厚みとすることができる。そして、厚みｄ１と厚みｄ２とをほぼ同等の厚みとすることができる。或いは、厚みｄ１よりも厚みｄ２を若干薄くすることができる。
厚みｄ１と厚みｄ２との比（ｄ１：ｄ２）は、１：１から５：１の範囲とすることにより、柄１１を持ちやすくなる。一方、取り出しやすさの観点からは、厚みｄ１と厚みｄ２との比（ｄ１：ｄ２）は、１：１：３：１の範囲とすることが好ましい。また、使いやすさの観点からは、厚みｄ１と厚みｄ２との比（ｄ１：ｄ２）は、１：１から２：１の範囲とすることが好ましい。
【００８１】
本実施形態によっても、第１の実施形態と同様の効果が得られる。
【００８２】
図９は第１化粧料塗布具１０の変形例を示す図であり、このうち図９（ａ）は柄１１の長手方向に直交する第１柄部１３の断面形状を、図９（ｂ）は柄１１の長手方向に直交する第２柄部１４の断面形状を、それぞれ示す。図９（ａ）は第１化粧料塗布具１０の図２（ｅ）相当図であり、図９（ｂ）は図２（ｆ）相当図である。
上記の第１の実施形態においては、柄１１の長手方向に対して直交する第１柄部１３の断面形状が角丸の矩形状である例を説明したが、図９（ａ）に示すように、面取りの矩形状であっても良い。
また、上記の第１の実施形態においては、柄１１の長手方向に対して直交する第２柄部１４の断面形状の下側及び上側の縁辺がが、柄１１の長手方向における第２柄部１４の何れの位置においても、凸曲線状である例を説明した。ただし、第２柄部１４の断面形状は、曲線状でなくても良い。例えば、図９（ｂ）に示すような多角形状であっても良い。なお、図９（ｂ）の例では、第２柄部１４の下面１４ａが、載置面１１４に対して面接触する平坦面を含む例を示しているが、下面１４ａは、断面Ｖ字状などの、載置面１１４に対して線接触する形状となっていても良い。
【００８３】
なお、上記においては、柄１１の両側面がそれぞれ括れることにより括れ部１５が形成されている例を説明したが、柄１１の一方の側面が括れることにより括れ部１５が形成されていても良い。
また、柄１１の両側面がそれぞれ括れている場合、その括れの程度が、一方の側面と他方の側面とで異なっていても良い。
また、柄１１の上面から一方の側面を経由して下面に至る曲面の形状（曲率等）と、柄１１の上面から他方の側面を経由して下面に至る曲面の形状（曲率等）とが互いに異なっていても良い。
また、括れ部１５は、柄１１の長手方向における複数箇所にそれぞれ設けられていても良い。
【００８４】
また、上記の第１の実施形態においては、第１化粧料塗布具１０の第２柄部１４が括れ部１５の全体を含んでいて、第１柄部１３は括れ部１５をまったく含まない例を説明したが、第１柄部１３および第２柄部１４と、括れ部１５との位置関係は、この例に限らない。
上記のように、第１柄部１３は、載置面１１４に対して面接触する部分であり、第２柄部１４は、載置面１１４に対して線接触する部分である。一方、括れ部１５は、平面視において、柄１１が括れた部分である。このため、第１柄部１３と括れ部１５との間、並びに、第２柄部１４と括れ部１５との間には、それぞれ各種の包含関係が成立し得る。
先ず、図１０（ａ）は、上記の第１の実施形態での第１柄部１３、第２柄部１４および括れ部１５の位置関係を示す図である。この場合、第２柄部１４が括れ部１５の全部を含んでいる。
図１０（ｂ）に示すように、括れ部１５は、第１柄部１３から第２柄部１４に亘って形成されていても良い。すなわち、第１柄部１３が括れ部１５の一部分を含み、第２柄部１４が括れ部１５の残りの部分を含んでいても良い。
図１０（ｃ）に示すように、第１柄部１３が括れ部１５の全部を含んでいても良い。なお、図１０（ｃ）では、第１柄部１３における他端１１ｂ側の端部が、括れ部１５における他端１１ｂ側の端部よりも、他端１１ｂの近くに位置する例を示しているが、第１柄部１３における他端１１ｂ側の端部と、括れ部１５における他端１１ｂ側の端部と、が一致していても良い。
図１０（ｄ）に示すように、括れ部１５は第１柄部１３と第２柄部１４とに挟まれた位置に配置されていても良い。第１化粧料塗布具１０を載置面１１４に載置したときに、括れ部１５が載置面１１４に接触せず、宙に浮く場合などが、この例に該当する。
なお、図示は省略するが、括れ部１５は、第１柄部１３と第２柄部１４との間に位置しているとともに、第１柄部１３と第２柄部１４との双方から離間していても良い。この場合、第１柄部１３と括れ部１５との間に位置する第１中間部において、柄１１の厚みが括れ部１５側に向けて減少し、第２柄部１４と括れ部１５との間に位置する第２中間部において、柄１１の厚みが括れ部１５側に向けて減少する。
【符号の説明】
【００８５】
１０ 第１化粧料塗布具（化粧料塗布具）
１１ 柄
１１ａ 一端
１１ｂ 他端
１２ 塗布体
１２ａ 第１塗布部
１２ｂ 第２塗布部
１３ 第１柄部
１３ａ 下面
１３ｂ 上面
１３ｃ 側面
１３ｄ 側面
１４ 第２柄部
１４ａ 下面
１４ｂ 上面
１４ｃ 側面
１４ｄ 側面
１４ｅ 部位
１５ 括れ部
１５ａ 下面
１５ｂ 上面
１５ｃ 側面
１５ｄ 側面
１５ｅ 部位
１６ 凹部
１７ 区間
１８ 区間
２０ 第２化粧料塗布具（化粧料塗布具）
２３ａ 下面
２３ｂ 上面
２３ｃ 側面
２３ｄ 側面
２７ 軸部
３０ 第１化粧料塗布具（化粧料塗布具）
４０ 第２化粧料塗布具（化粧料塗布具）
５０ 第３化粧料塗布具（化粧料塗布具）
１１０ 第１筐体
１１１ 化粧料収容室
１１２ 縁部
１１３ 塗布具収容室
１１４ 載置面
１１５ 縁部
１１６ 係止部
１２０ 第２筐体
１２２ 鏡
１２３ 係止片
１３０ ヒンジ機構
１４０ 化粧料収容パレット
１４１ 第１収容領域
１４２ 第２収容領域（収容領域）
１４２ａ 分割線
１４３ 第３収容領域
１５１ 化粧料
１５２ａ 第１化粧料
１５２ｂ 第２化粧料
１５３ 化粧料
ｄ１  厚さ
ｄ２  厚さ
【図１】
2015217169.tif 000003
【図２】
2015217169.tif 000004
【図３】
2015217169.tif 000005
【図４】
2015217169.tif 000006
【図５】
2015217169.tif 000007
【図６】
2015217169.tif 000008
【図７】
2015217169.tif 000009
【図８】
2015217169.tif 000010
【図９】
2015217169.tif 000011
【図１０】
2015217169.tif 000012